【手続補正書】
【提出日】平成15年10月15日(2003.10.15)
【手続補正１】
【補正対象書類名】明細書
【補正対象項目名】特許請求の範囲
【補正方法】変更
【補正の内容】
【特許請求の範囲】
【請求項１】
光ファイバから供給された光を拡散する装置であって：
光伝送端をもつ光ファイバと；
前記光ファイバの前記端部に突き当たりかつ周囲を囲む光透過性の第１の部材と；および
光透過性の第２の部材で、前記第１の部材に突き当たりかつ周囲を囲み、前記光ファイバの前記端部から前記第１の部材に光が伝送されたときに、前記第１および第２の部材は光ガイドを規定し、前記第２の部材は前記光ガイドに沿って光を走行させ、前記第２の部材の外表面で前記第２の部材の長さ方向に光を送出する内表面をもつ第２の部材とから構成した走行させるように十分に変形された内面をもつ光ファイバから供給された光を拡散するための装置。
【請求項２】
光ファイバから光を拡散する装置は：光エネルギー源と；
光ファイバであって，前記源につながれた近端および光送信する遠端をもち前記近端から前記遠端まで光エネルギーを運ぶ前記光ファイバと；
前記光ファイバの遠端に接して前記光ファイバの遠端の回りを囲む光透過性の第１の部材と；および
光透過性の第２の部材であり、前記第１の部材に接して回りを囲み、前記第１および第２の部材は前記第１の部材に前記光ファイバの近端から光が伝送されたときの光ガイドを規定し、前記第２の部材の外表面に沿って前記光ガイドに沿って光を送信するように内面が十分に変形させられている第２の部材とからなる光ファイバから光を拡散する装置。
【請求項３】
光ファイバの光拡散チップの製造方法において：
（ａ） 光送信する末端をもつ光ファイバを提供するステップと：
（ｂ） 適当な熱処理により凝固する液状の第１の光透過性の部材を提供するステップと；
（ｃ） 前記第１の部材が前記光ファイバの末端に接してかつ回りを囲み、前記第２の部材が前記第１の部材に接してかつ回りを囲みそして前記光ファイバの末端から光が第１の部材に送信されたときに前記第１の部材と第２の部材で光ガイドを規定する第２の光透過性の部材を提供するステップと；
（ｄ） 前記チップの内面を変更するステップと；
（ｅ） 前記（ｄ）のステップの後に前記第１の部材を満たすステップと；
（ｆ） 前記（ｄ）のステップの後前記光ファイバの末端を前記チップの中に配置するステップと；
（ｇ） 前記（ｅ）と（ｆ）のステップの後で前記チップを熱処理して前記第１の部材を凝固させるステップとを含む光ファイバの光拡散チップの製造方法。
【請求項４】
選ばれた部材に光エネルギーを伝達する方法において：光エネルギー源を提供するステップと；
前記光エネルギー源に結合する近端，光送信用の遠端をもち光エネルギーを前記近端から遠端に送る光ファイバを提供するステップと；
チップであり、前記光ファイバの遠端に接してかつ回りを取り囲む内側部分と前記内側部分に接してかつ回りを取り囲む外側部分をもち、前記内側部分と外側部分はそれぞれ光透過性の第１の部材および光透過性の第２の部材であり、それらは、前記光ファイバの遠端から前記第１の部分に光が送信されたときに光ガイドとなり、前記外側部は前記外側部の長さ方向の光送信部に光を導くために十分に変更されているチップを提供するステップと；および
前記チップの光送信部からの光で選ばれた部材を放射するステップを含む選ばれた部材に光エネルギーを伝達する方法。
【手続補正２】
【補正対象書類名】明細書
【補正対象項目名】００５８
【補正方法】変更
【補正の内容】
【００５８】
本発明の種々の特徴が、その好適な実施例に関連して説明されたが、本発明は添付の特許請求の範囲により保護されるべきものと理解されたい。
尚、本発明の好ましい態様を整理して記載すると、下記のとおりである。
１． 光ファイバから供給された光を拡散する装置であって：光伝送端をもつ光ファイバと；前記光ファイバの前記端部に突き当たりかつ周囲を囲む光透過性の第１の部材と；および光透過性の第２の部材で、前記第１の部材に突き当たりかつ周囲を囲み、前記光ファイバの前記端部から前記第１の部材に光が伝送されたときに、前記第１および第２の部材は光ガイドを規定し、前記第２の部材は前記光ガイドに沿って光を走行させ、前記第２の部材の外表面で前記第２の部材の長さ方向に光を送出する内表面をもつ第２の部材とから構成した走行させるように十分に変形された内面をもつ光ファイバから供給された光を拡散するための装置。
２．上記１記載の装置において、前記第１の部材の長さ方向に沿って前記第２の屈折率よりは高い屈折率をもつ光ファイバから供給された光を拡散するための装置。
３．上記２記載の装置において、前記第１の部材は約１．４から約１．８の屈折率をもつものである光ファイバから供給された光を拡散するための装置。
４．上記２記載の装置において、前記第２の部材は約１．３から約１．４の屈折率をもつものである光ファイバから供給された光を拡散するための装置。
５．上記２記載の装置において、前記第１の部材はシリコーンである光ファイバから供給された光を拡散するための装置。
６．上記２記載の装置において、前記第２の部材はフッ素重合体である光ファイバから供給された光を拡散するための装置。
７．上記２記載の装置において、前記第２の部材には硫酸バリウムが含浸させられている光ファイバから供給された光を拡散するための装置。
８．上記１記載の装置において、前記第２の部材の内表面は粗されている光ファイバから供給された光を拡散するための装置。
９．上記８記載の装置において、前記第２の部材の内表面はその遠端に向かって粗さが増加するようになっている光ファイバから供給された光を拡散するための装置。
１０． 上記１記載の装置において、光は前記第２の部材の外表面に対してある予め定められた角度で送出されるものである光ファイバから供給された光を拡散するための装置。
１１． 上記１０記載の装置において、前記予め定められた角度は、前記第２の部材の外表面に対して方位角である光ファイバから供給された光を拡散するための装置。
１２． 上記１０記載の装置において、前記予め定められた角度は、前記第２の部材の外表面に対してその長さ方向に沿うものである光ファイバから供給された光を拡散するための装置。
１３． 上記１記載の装置において、光は前記第２の部材の外表面の長さ方向に沿って実質的に均一なプロファイルをもつものである光ファイバから供給された光を拡散するための装置。
１４． 上記１記載の装置において、前記第２の部材は遠端に尖頭をもち、前記尖頭は光を受けるために選択された任意の部材に前記第２の部材を配置するために役立つものである光ファイバから供給された光を拡散するための装置。
１５． 上記１記載の装置において、前記第２の部材は遠端に付着させられた尖頭をもち、前記尖頭は光を受けるために選択された任意の部材に前記第２の部材を配置するために役立つものである光ファイバから供給された光を拡散するための装置。
１６． 上記１４または１５記載の装置において、前記尖頭は前記選択された部材に孔をあけるのに適するものである光ファイバから供給された光を拡散するための装置。
１７． 上記１記載の装置において、前記光ファイバの露出されたコアは前記第１の部材にある長さ延びており、前記第１の部材とコアは光が前記光ファイバの前記端部から前記第１の部材に送られたときに光が前記長さに沿ってコアから前記第１の部材に透過できるように選択されている光ファイバから供給された光を拡散するための装置。
１８． 上記１７記載の装置において、前記第１の部材は前記コアの長さに沿って、前記コアと同等またはまたはそれ以上の屈折率をもつものである光ファイバから供給された光を拡散するための装置。
１９． 上記１８記載の装置において、前記第１の部材は約１．４から約１．８の屈折率をもつものである光ファイバから供給された光を拡散するための装置。
２０． 上記１８記載の装置において、前記コアは約１．４から約１．７の屈折率をもつものである光ファイバから供給された光を拡散するための装置。
２１． 上記１８記載の装置において、前記打第１の部材はシリコーンである光ファイバから供給された光を拡散するための装置。
２２． 上記１８記載の装置において、前記コアは硝子である光ファイバから供給された光を拡散するための装置。
２３． 上記１記載の装置において、前記第１の部材はその終端に光拡散体をもつものである光ファイバから供給された光を拡散するための装置。
２４． 上記２３記載の装置において、前記光拡散部材は酸化アルミニウム、二酸化チタニウムおよびダイヤモンドの粉末の群から選ばれたものである光ファイバから供給された光を拡散するための装置。
２５． 上記１記載の装置において、前記第１の部材はその遠端部に温度センサをもつものである光ファイバから供給された光を拡散するための装置。
２６． 上記１記載の装置において、前記第１の部材が前記第２の部材の内面に沿って配置された温度センサをもつものである光ファイバから供給された光を拡散するための装置。
２７． 上記２５または２６記載の装置において、前記温度センサは光学的温度センサである光ファイバから供給された光を拡散するための装置。
２８． 光ファイバから光を拡散する装置は：光エネルギー源と；光ファイバであって，前記源につながれた近端および光送信する遠端をもち前記近端から前記遠端まで光エネルギーを運ぶ前記光ファイバと；前記光ファイバの遠端に接して前記光ファイバの遠端の回りを囲む光透過性の第１の部材と；および光透過性の第２の部材であり、前記第１の部材に接して回りを囲み、前記第１および第２の部材は前記第１の部材に前記光ファイバの近端から光が伝送されたときの光ガイドを規定し、前記第２の部材の外表面に沿って前記光ガイドに沿って光を送信するように内面が十分に変形させられている第２の部材とからなる光ファイバから光を拡散する装置。
２９． 上記２８記載の装置において、前記第２の部材の内部の表面は粗されている光ファイバから光を拡散する装置。
３０． 上記２９記載の装置において、前記第２の部材の内部の表面はその遠端に向かって粗さが増すものである光ファイバから光を拡散する装置。
３１． 上記２８記載の装置において、前記第２の部材の外表面に対して予め定められた方向に光を伝送するものである光ファイバから光を拡散する装置。
３２． 上記２８記載の装置において、前記第２の部材の外表面に対して光は長さに方向に実質に均一な強度のプロファイルで伝送されるものである光ファイバから光を拡散する装置。
３３． 上記２８記載の装置において、前記第２の部材の遠端に尖頭部を含み、前記尖頭部は前記第２の部材が挿入される部材に穴を開けるのに適合したものである光ファイバから光を拡散する装置。
３４． 上記２８記載の装置において、前記露出されたコアは前記第１の部材の中にある長さ延びおり、前記第１の部材と前記コアは、前記光ファイバの遠端から前記第１の部材に送信されたときに、前記光が前記コアから前記第１の部材の長さ方向の距離に沿って伝達可能に選択されている光ファイバから光を拡散する装置。
３５． 上記２８記載の装置において、前記光エネルギー源がレーザである光ファイバから光を拡散する装置。
３６． 光ファイバの光拡散チップの製造方法において：（ａ） 光送信する末端をもつ光ファイバを提供するステップと：（ｂ） 適当な熱処理により凝固する液状の第１の光透過性の部材を提供するステップと；
（ｃ） 前記第１の部材が前記光ファイバの末端に接してかつ回りを囲み、前記第２の部材が前記第１の部材に接してかつ回りを囲みそして前記光ファイバの末端から光が第１の部材に送信されたときに前記第１の部材と第２の部材で光ガイドを規定する第２の光透過性の部材を提供するステップと；
（ｄ） 前記チップの内面を変更するステップと；
（ｅ） 前記（ｄ）のステップの後に前記第１の部材を満たすステップと；
（ｆ） 前記（ｄ）のステップの後前記光ファイバの末端を前記チップの中に配置するステップと；
（ｇ） 前記（ｅ）と（ｆ）のステップの後で前記チップを熱処理して前記第１の部材を凝固させるステップとを含む光ファイバの光拡散チップの製造方法。
３７． 上記３６記載の方法において、前記チップを提供するステップはとんがった末端をもつ尖頭を提供するステップを含む光ファイバの光拡散チップの製造方法。
３８． 上記３７記載の方法において、前記をチップ提供するステップは尖った末端をもつようにチップをモールドするものである光ファイバの光拡散チップの製造方法。
３９． 上記３６記載の方法において、前記内面を変更するステップは前記内面を粗にするステップを含む光ファイバの光拡散チップの製造方法。
４０． 上記３９記載の方法において、前記粗らすステップは前記チップの内面を近端から遠端に向かって粗さを増加させるものである光ファイバの光拡散チップの製造方法。
４１． 上記３９記載の方法において、前記粗させるステップは前記チップの内面でブラシを回転して剛毛で内面を粗させるものである光ファイバから供給された光を拡散するための装置。
４２． 上記３９記載の方法において、前記粗させるステップは前記チップのなかでドリルビットを回転させてビットが内面を粗させるものである光ファイバの光拡散チップの製造方法。
４３． 上記３６記載の方法において、前記第１の部材はシリコーンである光ファイバの光拡散チップの製造方法。
４４． 上記３６記載の方法において、前記第２の部材は、フッ素系重合体である光ファイバの光拡散チップの製造方法。
４５． 上記３６記載の方法において、前記光ファイバを提供するステップは前記光ファイバのコアの末端を露出させるステップを含み、前記第１の部材およびコアは前記第１の部材が前記コアに接してかつ回りを囲みそして前記光ファイバの末端から光が第１の部材に送信されると光は前記コアから前記第１の部材に伝送可能であるように選ばれたものである光ファイバの光拡散チップの製造方法。
４６． 上記４５記載の方法において、前記第１の部材はシリコーンで前記コアはガラスである光ファイバの光拡散チップの製造方法。
４７． 上記３６記載の方法において、前記第１の部材はその中に拡散されている光散乱材料を含む第１の部分と第２の部分を含み、前記第２の部分と第２の部材は前記第２の部分が前記第２の部材に全周で取り囲まれているときに光ガイドを規定し、前記チップの充填は前記チップの遠端を前記チップの残部を前記第２の部分で充填する前に前記第１の部分での充填を含む光ファイバの光拡散チップの製造方法。
４８． 上記４７記載の方法において、前記光ファイバの端部の配置に先立って前記第１の部分を凝固するための前記チップの熱処理ステップを含む光ファイバの光拡散チップの製造方法。
４９． 上記４７記載の方法において、前記第１および第２の部分はシリコーンであり、前記散乱部材は前記酸化アルミニウム、二酸化チタニウムおよびダイヤモンドの粉末からなる群から選ばれるものである光ファイバの光拡散チップの製造方法。
５０． 上記３６記載の方法において、前記チップの熱処理に先立って、温度センサをチップ内に配置ステップをさらに含む光ファイバの光拡散チップの製造方法。
５１． 上記３６記載の方法において、前記チップを提供するステップはその遠端に尖った部分を提供するステップを含む光ファイバの光拡散チップの製造方法。
５２． 上記３６記載の方法において、前記チップを提供するステップはその遠端に突き刺し装置を提供するステップを含むものである光ファイバの光拡散チップの製造方法。
５３． 選ばれた部材に光エネルギーを伝達する方法において：光エネルギー源を提供するステップと；前記光エネルギー源に結合する近端，光送信用の遠端をもち光エネルギーを前記近端から遠端に送る光ファイバを提供するステップと；チップであり、前記光ファイバの遠端に接してかつ回りを取り囲む内側部分と前記内側部分に接してかつ回りを取り囲む外側部分をもち、前記内側部分と外側部分はそれぞれ光透過性の第１の部材および光透過性の第２の部材であり、それらは、前記光ファイバの遠端から前記第１の部分に光が送信されたときに光ガイドとなり、前記外側部は前記外側部の長さ方向の光送信部に光を導くために十分に変更されているチップを提供するステップと；および前記チップの光送信部からの光で選ばれた部材を放射するステップを含む選ばれた部材に光エネルギーを伝達する方法。
５４． 上記５３記載の方法において、前記光放射部はその長さ方向に沿って実質的に一様な光プロファイルで光を送信するものである選ばれた部材に光エネルギーを伝達する方法。
５５． 上記５４記載の方法において、前記選ばれた部材は環状で、前記放射はその環を照明するものである選ばれた部材に光エネルギーを伝達する方法。
５６． 上記５４記載の方法において、前記選ばれた部材は量的なものであり、前記放射はその一部の量を照射するものである選ばれた部材に光エネルギーを伝達する方法。
５７． 上記５４記載の方法において、前記選ばれた部材は量的なものであり、前記放射はその一部の量を光子で照射するものである選ばれた部材に光エネルギーを伝達する方法。
５８． 上記５４記載の方法において、前記選ばれた部材は身体の組織である選ばれた部材に光エネルギーを伝達する方法。
５９． 上記５８記載の方法において、前記チップを前記組織に挿入するステップを含み、前記照射はその量の一部が壊死するのに十分な量である選ばれた部材に光エネルギーを伝達する方法。
６０． 上記５８記載の方法において、前記組織は腫瘍である選ばれた部材に光エネルギーを伝達する方法。
６１． 上記５８記載の方法において、前記組織は前立腺腫である選ばれた部材に光エネルギーを伝達する方法。
６２． 上記６１記載の方法において、前記組織は肥厚性腫瘍の初期状態に侵されているか選ばれた部材に光エネルギーを伝達する方法。
６３． 上記６２記載の方法において、前記照射は前記組織をある部分が壊死するのに十分な量を行うものである選ばれた部材に光エネルギーを伝達する方法。